(57)【要約】      （修正有）【課題】詰替えパウチがむき出しにならず、インテリアに合わせた好みのデザインを楽しむことができる吊り下げ容器に被せるカバーを提供する。【解決手段】カバーは第一の辺における第一の開口部２と、第一の辺と対応する第二の辺における第二の開口部３とを有する。シャンプーやボディーソープ、洗剤などの液体が入った詰替えパウチをぶら下げて使用する際に被せることができる。【選択図】図７ｂ
0003224160.tif 000002
【実用新案登録請求の範囲】
【請求項１】
第一の辺における第一の開口部と、
前記第一の辺と対向する第二の辺における第二の開口部とを有することを特徴とする、ぶら下げ容器に被せるためのカバー。
【請求項２】
さらに、前記第二の辺において切欠部を有することを特徴とする、
請求項１に記載のカバー。
【請求項３】
前記第一の開口部は、第一の辺の端部に設けられることを特徴とする、請求項１又は２に記載のカバー。
【請求項４】
前記容器は、詰替えパウチであることを特徴とする、請求項１〜３のいずれかに記載のカバー。
【考案の詳細な説明】
【技術分野】
【０００１】
本考案はぶら下げ容器に被せるためのカバーに関する。
【背景技術】
【０００２】
特許文献１には、シャンプーやボディーソープ等の詰替え容器を逆さまにぶら下げる保持部材と、容器の取り出し口に取り付けられるポンプとを具備した詰替えパウチの内容物取り出し装置が提案されている。
【先行技術文献】
【特許文献】
【０００３】
【特許文献１】特許第５４８６６６９号
【考案の概要】
【考案が解決しようとする課題】
【０００４】
近年、浴槽や洗面所等において、色合いやデザインを統一して好みの雰囲気のインテリアデザインを楽しむ人が増えているが、上述した技術は、市販の詰替えパウチがむき出しであり、せっかく統一したインテリアデザインになじまないことがあった。
【０００５】
そこで、本考案は、シャンプーやボディーソープ等の詰替え容器に被せるためのカバーを提供することを一つの目的とする。
【課題を解決するための手段】
【０００６】
本考案によれば、第一の辺における第一の開口部と、前記第一の辺と対応する第二の辺における第二の開口部とを有することを特徴とする、ぶら下げ容器に被せるためのカバーが得られる。
【考案の効果】
【０００７】
本考案によれば、詰替え容器にカバーをかぶせることができるので、好みのデザインのカバーを選択することができる。
【図面の簡単な説明】
【０００８】
【図１】本考案の一実施形態おけるカバー１を示す図である。
【図２】本考案の一実施形態おけるカバー１の変形例を示す図である。
【図３】本考案の一実施形態おけるカバー１の変形例を示す図である。
【図４】本考案の一実施形態おけるカバー１の変形例を示す図である。
【図５】本考案の一実施形態おけるカバー１の変形例を示す図である。
【図６ａ】詰替え容器２０を示す図である。
【図６ｂ】詰替え容器２０に本考案のカバー１を被せた状態を示す図である。
【図７ａ】詰替え容器２０を示す図である。
【図７ｂ】詰替え容器２０に本考案のカバー１を被せた状態を示す図である。
【図８ａ】詰替え容器２０を示す図である。
【図８ｂ】詰替え容器２０に本考案のカバー１を被せた状態を示す図である。
【考案を実施するための形態】
【０００９】
本考案の実施形態の内容を列記して説明する。本考案は、以下のような構成を備える。
［項目１］
第一の辺における第一の開口部と、
前記第一の辺と対向する第二の辺における第二の開口部とを有することを特徴とする、ぶら下げ容器に被せるためのカバー。
［項目２］
さらに、前記第二の辺において切欠部を有することを特徴とする、項目１に記載のカバー。
［項目３］
前記第一の開口部は、第一の辺の端部に設けられることを特徴とする、項目１又は２に記載のカバー。
［項目４］
前記容器は、詰替えパウチであることを特徴とする、項目１〜３のいずれかに記載のカバー。
【００１０】
＜実施の形態の詳細＞
以下、本考案の実施の形態について、図面を参照しながら説明する。
【００１１】
本考案は、シャンプーやボディーソープ、洗剤などの液体が入った容器をぶら下げて使用する際のカバー１に関する。図１に示すように、本考案のカバー１は、ポンチョのような構造を有し、上辺である第一の辺５において第一開口部２を有するとともに、上辺に対向する下辺である第二の辺６において第二開口部３を有する。
【００１２】
第一開口部２は、容器の吊り下げ保持具等を通すことができる大きさであり、好ましくは第一の辺５の一部のみに形成される。第一開口部２の位置は、市販の詰替えパウチの吊り下げ保持具等の取り付け位置に応じて決定されるが、図１に示すように、第一開口部２は第一の辺５の端部（カバー１の角）に円弧状に切り取られた形状であることが好ましい。また、図２に示すように、第一開口部２は第一の辺５に沿って略直線状に設けられてもよい。さらに、図３に示すように、第一開口部２は第一の辺５の端部に限らず、中央部分に設けられてもよい。
【００１３】
第二開口部３は、第二の辺６に形成される。第二開口部３はカバーを被せやすいような大きさで設計することができ、好ましくは、第二開口部３は第二の辺６の全長にわたって設けられる。本考案のカバー１は、このような基本構成とすることによって、吊り下げ容器２０の上から容易に被せることができる。また、図４に示すように、第一の辺５及び第二の辺６の一部の端部の角を曲線にしてもよい。角部を曲線とすることでユーザの手が触れた際にけがをしにくいため好ましい。
【００１４】
また、図５は、本考案のカバー１の変形例である。本変形例においては、第二の辺６においてさらに切欠部４を備える。切欠部４は、第二の辺６の端部に設けられることが好ましく、第一開口部２と対角線上にある角に略円弧状に形成されることがさらに好ましい。切欠部４を備えることによって、カバー１を被せた状態でも詰替えパウチのポンプ２２が露出するので操作しやすい。
【００１５】
図６（ａ）は、本考案のカバー１を使用する対象である吊り下げ容器２０の一例を示す図である。吊り下げ容器２０は、例えばシャンプーやボディーソープ、洗剤などの液体を保持する容器であり、例えば市販の詰替えパウチである。吊り下げ容器２０は、取出口を下に向けて吊り下げられる。図６（ａ）の例では、取出口は吊り下げ容器２０の角部分に備えられる。取出口には必要に応じてもともと備えられていたねじキャップを取り外してポンプ２２が取り付けられる。ポンプ２２の構造は特に制限はなく、ユーザが押圧等の操作をすることによって容器２０の内容物を所定量取り出せる構造であればよい。また、容器２０の取出口とは反対側に、吊り下げ保持具２１が取り付けられる。吊り下げ保持具２１は、容器２０をポール等にひっかけることができるフックと、容器２０を挟む挟持具とを備えることができる。ポンプ２２及び吊り下げ保持具２１の構造は特に制限されず、一例として特許第５４８６６６９号に記載のものを参照することができる。
【００１６】
図６（ｂ）は、図６（ａ）に図示した吊り下げ容器２０に本考案のカバー１を被せた状態を図示する。第一開口部２に吊り下げ保持具２１を通してカバー１を被せることができる。また、切欠部４がポンプ２２の位置に配置されるため、ポンプ２２が露出する。
【００１７】
図７（ａ）は、吊り下げ容器２０の他の例を示す図である。本例において吊り下げ容器２０は、取出口が容器２０の辺の略中心に備えられ、当該取出口にポンプ２２が設置される。図７（ｂ）は、図７（ａ）に図示した吊り下げ容器２０に本考案のカバー１を被せた状態を図示する。取出口が辺の中心にある容器２０の場合、カバー１の切欠部４はあってもなくてもよい。
【００１８】
図８（ａ）は、吊り下げ容器２０のさらに他の例を示す図である。本例において吊り下げ容器２０は、取出口及び吊り下げ保持具２１が容器２０の辺の略中心に備えられ、当該取出口にポンプ２２が設置される。図８（ｂ）は、図８（ａ）に図示した吊り下げ容器２０に本考案のカバー１を被せた状態を図示する。吊り下げ保持具２１を中央に設ける場合、本考案のカバーは図３に図示するように第一開口部２が中央に設けられたものを使用することができる。
【００１９】
本考案のカバー１の大きさ及び形状は、使用する吊り下げ容器２０に合わせて適宜変更することができる。また、カバー１の材質は特に制限されないが、風呂場や洗面所、キッチンなどの水場で使用する場合は水をはじく樹脂製であることが好ましく、塩化ビニル、ポリプロピレン、ポリエチレン、ポリエチレンテレフタレート等、汎用の樹脂を用いることができる。特に塩化ビニルを採用することによって、水をはじき、耐久性が高くしわにならないので見た目がきれいである。
【００２０】
カバー１には必要に応じて色や柄を付することができる。さらに、カバー１の表面を二重構造とし、表面側を透明な素材で構成することで、間にユーザの好きな色や柄の紙や布等を差し込み、カバー１のデザインを変えることができるようにしてもよい。
【００２１】
上述した実施の形態は、本考案の理解を容易にするための例示に過ぎず、本考案を限定して解釈するためのものではない。本考案は、その趣旨を逸脱することなく、変更、改良することができると共に、本考案にはその均等物が含まれることは言うまでもない。
【符号の説明】
【００２２】
１        カバー
２        開口部
３        開口部
４        切欠部
５        第一の辺
６        第二の辺
２０      容器
２１      吊り下げ保持具
２２      ポンプ
【図１】
0003224160.tif 000003
【図２】
0003224160.tif 000004
【図３】
0003224160.tif 000005
【図４】
0003224160.tif 000006
【図５】
0003224160.tif 000007
【図６ａ】
0003224160.tif 000008
【図６ｂ】
0003224160.tif 000009
【図７ａ】
0003224160.tif 000010
【図７ｂ】
0003224160.tif 000011
【図８ａ】
0003224160.tif 000012
【図８ｂ】
0003224160.tif 000013